(57)【特許請求の範囲】
【請求項１】
室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、
前記圧縮機の吐出圧力を検出する吐出圧力検知器を備え、
冷房及び冷房主体運転時に前記吐出圧力が所定の圧力値よりも低下した場合、前記室外ファンの回転数を下げ、前記室外ファンは予め最低回転数が決められ、前記吐出圧力が所定の圧力値よりも低下して前記室外ファンが前記最低回転数となった場合は、凝縮器となる前記第１あるいは第２室外熱交換器に接続された前記第１あるいは第２室外膨張弁の開度を小さくして前記吐出圧力が所定の値になるように制御することを特徴とする空気調和機。
【請求項２】
室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、
前記圧縮機の吐出圧力を検出する吐出圧力検知器を備え、
冷房及び冷房主体運転時に前記吐出圧力が所定の圧力値よりも低下した場合、前記室外ファンの回転数を下げ、冷房主体運転時に冷房運転をしている前記室内機の冷房能力が不足していると判断されたときは、暖房運転をしている室内機の暖房能力の目標値を下げることを特徴とする空気調和機。
【請求項３】
室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、
前記圧縮機の吐出圧力を検出する吐出圧力検知器を備え、
冷房及び冷房主体運転時に前記吐出圧力が所定の圧力値よりも低下した場合、前記室外ファンの回転数を下げ、冷房主体運転時に冷房運転をしている前記室内機の冷房能力を室内温度と吹出し温度の差により求め、設定室内温度と室内温度との差により求まる冷房能力目標値により、暖房運転をしている室内機の暖房能力の目標値を設定することを特徴とする空気調和機。
【請求項４】
室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、
前記圧縮機の吐出圧力を検出する吐出圧力検知器を備え、
冷房及び冷房主体運転時に前記吐出圧力が所定の圧力値よりも低下した場合、前記室外ファンの回転数を下げ、暖房主体運転時に蒸発器となる前記第１あるいは第２室外熱交換器と、冷房運転をしている前記室内機の前記室内熱交換器と、の容量比により暖房運転をしている前記室内機の前記室内膨張弁の最低開度を決定することを特徴とする空気調和機。
【請求項５】
室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され室外機と、を備えた空気調和機において、
暖房主体運転時に蒸発器となる前記第１あるいは第２室外熱交換器と、冷房運転をしている前記室内機の前記室内熱交換器と、の容量比により暖房運転をしている前記室内機の前記室内膨張弁の最低開度を決定することを特徴とする空気調和機。
【発明の詳細な説明】
【０００１】
【発明の属する技術分野】
本発明は、室外機に複数台の室内機を接続した空気調和機に関し、特に、冷暖同時運転、つまり複数台の室内機の各々を冷房、暖房自由に設定して運転を行うものに好適である。
【０００２】
【従来の技術】
２つの室外熱交換器を有する室外機を用いて冷暖同時運転を行う空気調和機は、一方の室外熱交換器が凝縮器となる冷暖同時冷房主体運転時に、室外空気温度が低下すると、凝縮器となる室外熱交換器における冷媒の凝縮量が多くなり、冷媒の吐出圧力が低下する。そのため、熱交換を行っている暖房室内熱交換器内の凝縮温度も低下し暖房能力が低下する。
【０００３】
よって、従来、吐出圧力保持するため室外温度の低下に応じて室外ファン回転数を下げ、室外膨張弁を絞ることで室外凝縮器の液冷媒保有量を多くし、凝縮熱量を少なくしている。
【０００４】
また、吐出圧力を所定の値するため吐出圧力を検知して室外膨張弁の開度を制御し、室外膨張弁の開度が上限となったときには室外ファン回転数を所定回転数だけ上昇して凝縮能力を増加し、反対に下限となったときには、所定回転数だけを減少して凝縮能力を減少することが知られ、例えば特開平５−９９５２５号公報に記載されている。
【０００５】
さらに、液配管内の冷媒液圧力が低下して冷房運転室内機の冷房能力が不足したときに冷房能力を補正することが、特開平７−４７７９号公報に記載されている。
【０００６】
【発明が解決しようとする課題】
上記従来技術においては、いずれも室外ファン回転数が室外気温により予め決定されている。室外温度と室外ファンの回転数は、種々の配管条件に応じてマッチングさせねばならないが、もし室外ファン回転数が低すぎて冷媒吐出圧力が高くなってしまう場合、圧縮機の周波数を低くするなど保護制御と呼ばれる緊急制御により冷凍サイクルの保護を行わねばならない。よって、室外ファン回転数は冷媒吐出圧力が低くなるように余裕を見て高めに設定しなければならなかった。
【０００７】
室外ファン回転数を高めに設定する場合、例えば外気１０℃において、冷媒吐出圧力が低くなるので、凝縮器となる室外膨張弁を絞って冷媒吐出圧力を設定値に制御するようにすると、暖房運転室内機の能力は確保されるが、室外膨張弁後流から液配管にかける液圧力が低下し、冷房運転室内機に流入する圧力が低下するため、冷房運転室内機に冷媒が十分流入せず、冷房能力不足になる恐れがある。
【０００８】
冷房能力不足になる現象は１台冷房運転、１台暖房運転の場合はまだしも、２台冷房運転、１台暖房運転で、かつ冷房運転を行っている室内機が最も遠い位置に配管接続される場合には、この冷房運転室内機の冷房能力不足が顕著に表れる。  このため、室内機配管施工などに関してある程度の制限を設けねばならなかった。
【０００９】
本発明の目的は、上記従来技術の課題を解決し、配管接続などの施工状態によっても室内機の冷房能力が不足せず、安定性が高く、設計自由度を増大して快適性の向上を図ることにある。
【００１０】
【課題を解決するための手段】
上記課題を解決するために、本発明は、室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、前記圧縮機の吐出圧力を検出する吐出圧力検知器を備え、冷房及び冷房主体運転時に前記吐出圧力が所定の圧力値よりも低下した場合、前記室外ファンの回転数を下げ、前記室外ファンは予め最低回転数が決められ、前記吐出圧力が所定の圧力値よりも低下して前記室外ファンが前記最低回転数となった場合は、凝縮器となる前記第１あるいは第２室外熱交換器に接続された前記第１あるいは第２室外膨張弁の開度を小さくして前記吐出圧力が所定の値になるように制御するものである。
【００１１】
また、本発明は、室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、前記圧縮機の吐出圧力を検出する吐出圧力検知器を備え、冷房及び冷房主体運転時に前記吐出圧力が所定の圧力値よりも低下した場合、前記室外ファンの回転数を下げ、冷房主体運転時に冷房運転をしている前記室内機の冷房能力が不足していると判断されたときは、暖房運転をしている室内機の暖房能力の目標値を下げるものである。
【００１２】
また、本発明は、室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、前記圧縮機の吐出圧力を検出する吐出圧力検知器を備え、冷房及び冷房主体運転時に前記吐出圧力が所定の圧力値よりも低下した場合、前記室外ファンの回転数を下げ、冷房主体運転時に冷房運転をしている前記室内機の冷房能力を室内温度と吹出し温度の差により求め、設定室内温度と室内温度との差により求まる冷房能力目標値により、暖房運転をしている室内機の暖房能力の目標値を設定するものである。
【００１３】
さらに、本発明は、室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され、前記第１室外熱交換器及び第２室外熱交換器に送風する回転数可変の室外ファンを有した室外機と、を備えた空気調和機において、前記圧縮機の吐出圧力を検出する吐出圧力検知器を備え、  冷房及び冷房主体運転時に前記吐出圧力が所定の圧力値よりも低下した場合、前記室外ファンの回転数を下げ、暖房主体運転時に蒸発器となる前記第１あるいは第２室外熱交換器と、冷房運転をしている前記室内機の前記室内熱交換器と、の容量比により暖房運転をしている前記室内機の前記室内膨張弁の最低開度を決定するものである。
【００１４】
さらに、上記のものにおいて、暖房主体運転時に蒸発器となる第１あるいは第２室外熱交換器と、冷房運転をしている室内機の室内熱交換器と、の容量比により暖房運転をしている室内機の室内膨張弁の最低開度を決定することが望ましい。  さらに、室内熱交換器及び室内膨張弁を有した複数の室内機と、圧縮機の吐出側で分岐した一方に第１室外熱交換器及び第１室外膨張弁が、他方に第２室外熱交換器及び第２室外膨張弁が接続され室外機と、を備えた空気調和機において、  暖房主体運転時に蒸発器となる第１あるいは第２室外熱交換器と、冷房運転をしている室内機の室内熱交換器と、の容量比により暖房運転をしている室内機の室内膨張弁の最低開度を決定するものである。
【００１５】
【発明の実施の形態】
図２は、空気調和機とその制御装置を示す構成図であり、空気調和機は室外機８と複数の冷暖切替ユニット１６１、１６Ｎ、室内機１９１、１９Ｎを有し、室外機８と複数台からなる冷暖切替ユニット１６１、１６Ｎとを、また冷暖切替ユニット１６１、１６Ｎと室内機１９１、１９Ｎとが配管接続されて閉回路をなしている。
【００１６】
室外機８は駆動周波数可変の圧縮機９１、９２と第１室外熱交換器１０１、第２室外熱交換器１０２及び第１室外膨張弁１５１と第２室外膨張弁１５２を配管接続するとともに第１室外熱交換器１０１、第２室外熱交換器１０２に送風する室外ファン１１を備えている。また、冷暖同時ユニット１６１、１６Ｎは、高圧側ガス配管４７Ａとガス側配管５０Ｂを接続する電磁弁１７１、１７Ｎと、低圧側ガス配管４８Ａとガス側配管４９Ｂを接続する電磁弁１８１、１８Ｎを備え、室内機１９１、１９Ｎは、室内空気と熱交換を行う室内熱交換器２０１、２０Ｎとその室内熱交換器の冷媒の流量を調整する室内膨張弁２２１、２２Ｎが順次配管されるとともに室内熱交換器２０１、２０Ｎに送風する室内ファン２２１、２２Ｎを備えている。
【００１７】
室外機８は、アキュムレータ１２、第１四方弁１３１、第２四方弁１３２及び液タンク１４を備え、室外機８及び冷暖切替ユニット１６１、１６Ｎの各液配管２３、高圧ガス側及び低圧ガス側配管２４、２５は各々液配管４６Ａ、高圧ガス側配管４７Ａ、低圧ガス側配管４８Ａ及び分岐管２６、２７、２８で接続され、冷暖切替ユニット１６１、１６Ｎ及び室内機１９１、１９Ｎの各液側、ガス側が各々液側管路４９Ｂ、ガス側管路５０Ｂで接続されて閉回路をなし、その中に冷媒が封入してある。
【００１８】
さらに、室外空気温度を検知する室外空気温度検知器２９、冷媒吸入圧力を検知する吸入圧力検知器３２、冷媒吐出圧力を検知する吐出圧力検知器３３、圧縮機９１、９２の周波数を操作するインバータ圧縮機駆動周波数操作器３４１、３４２、室外ファン１１の送風能力を操作する室外ファン送風能力操作器３５、第１室外膨張弁１５１の開度を操作する第１室外膨張弁開度操作器３６１、第２室外膨張弁１５２の開度を操作する第２室外膨張弁開度操作器３６２、第１四方弁１３１の冷媒方向を切り替える操作を行う第１四方弁操作器３７１、第２四方弁１３２の冷媒方向を切り替える操作を行う第２四方弁操作器３７２、利用部の室内空気温度を検知する室内空気温度検知器３８１、３８Ｎ、その利用部への吹き出し空気温度を検知する吹き出し空気温度検知器３９１、３９Ｎ、室内ファン２１１、２１Ｎの送風能力を操作する室内ファン送風能力操作器４２１、４２Ｎ、室内膨張弁２２１、２２Ｎの冷媒循環量を操作する室内膨張弁開度操作器４３１、４３Ｎ、予め与えられた温湿度設定値を記憶、あるいは使用者が好みの温湿度を設定するためのリモコン空気温湿度設定器４４１、４４Ｎを有している。さらに、演算運転装置４５で上記の検知値を読み込んで、操作器の操作量を演算し、制御する。
【００１９】
図１の空気調和機では、冷暖同時冷房主体運転のとき、圧縮機９１、９２が起動することで、冷媒は圧縮、過熱され、分岐管を介して一方は第１四方弁１３１を通じて高圧側ガス配管２４、４７Ａに、他方は第２四方弁１３２を通じて第２室外熱交換器１０２に流れる。冷房運転室内機を１９１、暖房運転室内機を１９Ｎとした場合、高圧側ガス配管２４、４７Ａに流れていった高圧高温冷媒は暖房運転冷暖ユニットに流入し、電磁弁１７Ｎを通じて暖房運転室内機１９Ｎに流入し、室内空気により冷却、液化され、空気には熱量を与える。他方、第２室外熱交換器１０２に流入した冷媒は室外空気により冷却、液化される。次に液配管２３、４６Ａ、冷房運転冷暖同時ユニット１６１、液配管４９Ｂ、さらに冷房運転室内機１９１に流入し、膨張作用を行う室内膨張弁２２１を通過することにより、減圧されて、冷房運転室内熱交換器２０１に流入する。そこで、室内空気により加熱、蒸発されて、空気からは、熱量を奪う。蒸発した冷媒は、ガス側配管５０Ｂ、冷房運転冷暖切替ユニット電磁弁１８１を通じて低圧側ガス配管４８Ａ、２５に流入し、また圧縮機に戻り、以下上記動作を繰返す。
演算運転装置４５は、室内空気温度、湿度を制御するため、空気調和機の冷媒温度、圧力の制御を行う。
【００２０】
暖房運転室内機の暖房能力を確保するためには、高圧高温状態である高圧側ガス配管２４、４７Ａ内の冷媒圧力、温度を十分高くする必要があり、高圧ガス側配管２４、４７Ａ内の冷媒圧力、温度は冷媒吐出圧力により管理出来るので、冷媒吐出圧力をある値以上に設定するとよい。
【００２１】
冷暖同時冷房主体運転では室外温度が低下し、かつ室外ファン１１の回転数が適切な値よりも高い場合、他方の第２室外熱交換器１０２へ流入する冷媒が過度に冷却、凝縮されるために冷媒吐出圧力が低下するので、第２室外膨張弁１５２を絞ることにより第２室外熱交換器内の液冷媒量を多くし、第２室外熱交換器１０２の熱交換量を小さくすると、冷媒吐出圧力を高く保持出来る。
【００２２】
しかし、予め室外温度により室外ファン回転数を決定する方法では室外ファン回転数を高めに設定しなければならないので室外熱交換量が過剰となり、第２室外膨張弁１５２を絞らなければならない。この場合、第２室外膨張弁１５２の後流である液配管２３、４６Ａ内の冷媒は、減圧されるため圧力が低い状態となり、低圧力状態の液冷媒が冷房運転室内機１９１に流れる。
【００２３】
図３の例の如く最も近い室内機５７１が冷房運転室内機、中間に暖房運転室内機５７２、最も遠い室内機５７３が冷房運転室内機である場合、暖房を行った後の凝縮液冷媒が液配管５８に合流するが、暖房運転室内機５７２から流出した液冷媒は圧力が高く、液配管５８の液圧力が低い場合には、暖房運転室内機５７２に用いられた液冷媒は、近い方の冷房運転室内機５７１に向かう量が多くなり、遠い方の冷房運転室内機５７３に流れる量が少なくなる。よって、遠い冷房運転室内機５７３の冷房能力が大幅に低下する。この低下を防止するには、ホットガスバイパスを液タンクの直前に注入し、液配管５８の圧力を上昇させ、暖房を行った後の液冷媒との差圧を減少させる手法があるが、冷房能力を充分補正出来るものではない。
【００２４】
そこで、本例では、暖房能力を得るために冷媒吐出圧力は確保し、かつ図２での液配管２３、４６Ａの圧力を上昇させるために、室外ファン１１の回転数を冷媒吐出圧力検知器３３の検知値を利用してフィードバックすることにより、過剰な室外ファン回転数を防止する。また、室外膨張弁開度１５２は室外ファン１１の凝縮能力がこれよりも下げられない場合のみ２次的に操作することにより、冷媒吐出圧力を確保し、かつ液配管２３、４６Ａの冷媒圧力を確保して冷房運転室内機冷房能力を確保する。つまり、冷房及び冷房主体運転時に吐出圧力が所定の圧力値よりも低下した場合、室外ファン１１の回転数を下げて吐出圧力が所定の値になるように制御する。
【００２５】
より具体的には、室外ファン１１の回転数を連続的あるいは十分な細かさで変化出来るように室外ファン送風能力操作器３５を用い、室外ファンステップを全１５ステップなど幾通りにも変化出来るようにする。そして図１に示す如く吐出圧力検知値が目標圧力より例えば０．２ＭＰａ以上高い場合（２）には１ステップ上昇させ（３）、０．２ＭＰａ低い場合（４）には回転数を１ステップ低下させる（６）。これにより、冷媒吐出圧力が±０．２ＭＰａで管理出来るので暖房能力の確保が出来る。
【００２６】
また、室外ファンは吐出圧力検知値によりステップ的にフィードバック制御を行うので不用意に高いステップとならないので、室外膨張弁１５２を絞る必要はなくなり、液配管Ａの冷媒圧力も確保することができ、冷房運転室内機の冷房能力も確保できる。ただし、室外温度が−５℃であるなど外気が低温となる条件では、室外ファン１１を下限ステップ（最低回転数）としても吐出圧力が確保出来ないので、室外ファン１１が下限ステップとなった場合（５）のみ第２室外膨張弁１５２を絞るようにする（７）。
【００２７】
以上、室外温度が高い条件では室外ファン１１による制御を行い、室外ファン１１による制御だけでは吐出圧力が保持しきれない条件では、室外膨張弁１５１、１５２による制御を行う（室外ファン−室外膨張弁リンク制御）を行うことにより、冷暖同時冷房主体時、様々な室内機施工条件、空気温度条件に対応して冷房能力、暖房能力を確保することが出来る。
【００２８】
上記冷媒吐出圧力制御による液配管圧力の保持と共に、さらに冷房能力を補正する制御を行う。つまり、末端接続室内機が極端に遠い施工にしている場合、さらに冷房能力を補正するため、冷暖同時冷房主体運転時、暖房能力を少し犠牲にして、冷房能力を補正する。例えば、暖房運転室内機から流出した冷媒の圧力が高い場合、末端接続冷房運転室内機に冷媒が流れ難くなるので、暖房運転室内機を流出した冷媒の圧力を低下させる。
【００２９】
冷房運転室内機の冷房能力は、吸込み温度（室内温度）−吹出し温度の温度差Δｔ（Ｃ）により大まかな能力を計測する。冷房運転室内機は、図４に示す如く、設定室内温度−室内温度の差ΔＴ（Ｃ）により、冷房能力目標値Δｔｓ（Ｃ）を決定している。また暖房運転室内機は室内温度−設定室内温度との差ΔＴ（Ｈ）により、暖房能力目標値Δｔｓ（Ｈ）を決定している。そこで、Δｔ（Ｃ）が低下している室内機があるときは、暖房運転室内機の暖房能力がある許容量確保されていることを確認する。  冷房能力が低下し、かつ暖房能力が許容量出力されている場合は、暖房能力の設定吹出し−吸込み温度差の目標値Δｔｓ（Ｈ）を変更する。Δｔｓ（Ｈ）の上限値Δｔｕ（Ｈ）を冷房能力の不足分ｅ（Ｃ）＝Δｔｓ（Ｃ）−Δｔ（Ｃ）により設定することにより、暖房能力設定値Δｔｓ（Ｈ）が低下するように再設定される。冷房能力が不足している冷房運転室内機が多数あるときは、最も冷房能力が不足している室内機のｅ（Ｃ）を用いる。
【００３０】
暖房目標能力を低下させるので、暖房運転室内膨張弁は能力が十分出力されていることとなり、暖房運転室内機膨張弁下流の液圧力が低下し、液配管から来る液冷媒との差圧が少なくなり、最も近い冷房運転室内機のみだけでなく、最も遠い冷凍運転室内機へも冷媒が流れる。そして、最も遠い冷房運転室内機の冷房能力も増大する。
【００３１】
制御フローに表したのが図７であり、最初に冷房運転室内機の能力不足分ｅ（Ｃ）＝Δｔｓ（Ｃ）−Δｔ（Ｃ）を計測する（６４）。次に著しく能力低下している冷房運転機があるかどうか、各冷房運転室内機のｅ（Ｃ）について、ｅ（Ｃ）≧Ｅであるか調べる（６５）。Ｅは予め決められた定数である。
低下している冷房運転室内機があれば、それは冷房運転室内機に冷媒が十分供給されていないので、能力補正をする必要がある。そこで暖房運転室内機の暖房吹出し温度がある程度高いかを確認する（６６）。暖房運転室内機能力が出力されているかを確認すれば良いので、吹出し温度差だけでなく、暖房運転室内機吹出し温度−吸込み温度差Δｔ（Ｈ）がある定数より大きいかどうかを判断してもよい。  暖房運転室内機の能力が充分出力されていれば、冷房能力補正を行う。仮に暖房運転室内機の能力が出力されていない場合は、冷房能力補正を行わずに、先の暖房能力目標値のまま制御を続ける。
冷房能力補正が可能と判断される場合は、冷房能力の最も不足している冷房運転室内機のｅ（Ｃ）を選び、その値により各暖房運転室内機の目標上限値Δｔｕ（Ｈ）を計算する（６２、６７）。計算された目標上限値より、各暖房運転室内機の目標値Δｔ（Ｈ）を計算し直し（６３、６８）、その値を用いて各暖房運転室内機は室内膨張弁制御を行う（６９）。この一連の動作により、暖房運転室内機に流入している冷媒が冷房能力不足である冷房運転室内機に供給され、冷房運転室内機の能力不足が補正される。
【００３２】
冷暖同時暖房主体運転時、同じく末端接続冷房運転室内機の冷房能力が低下する。そのため、暖房運転室内機に流入する冷媒を調整し、冷房能力を補正する。冷暖同時暖房主体運転とは、冷房主体運転と異なり、室外熱交換器が蒸発器となる。そのため、熱バランス的にも冷房能力は低下する。従って液冷媒が供給されにくい末端接続室内機に対しては、冷房能力の低下が顕著となる。
【００３３】
空気調和機における冷暖同時暖房主体運転においては、圧縮機９１、９２が起動することで、封入された冷媒が、圧縮、過熱され、分岐管を介して一方は第１四方弁１３１を通じて高圧側ガス配管２４、４７Ａに、他方は第２四方弁１３２を通じて第２室外熱交換器１０２に流れてゆく。但し第２室外膨張弁１５２の開度はほぼ全閉とするので、冷媒流量は少ない。
冷房運転室内機を１９１、暖房運転室内機を１９Ｎとすると、高圧側ガス配管２４、４７Ａに流れていった高圧高温冷媒は暖房運転冷暖ユニット１６Ｎに流入し、さらに電磁弁１７Ｎを通じて暖房運転室内機１９Ｎに流入し、室内空気により冷却、液化され、空気には熱量を与える。次に、暖房を終えた液冷媒は、液配管４９Ｂ、暖房運転冷暖切替ユニット１６Ｎ、液配管４６Ａを通じて、一方は冷房運転冷暖切替ユニット１６１、液配管４９Ｂ、冷房運転室内機１９１に流入する。そこで膨張作用を行う室内膨張弁２２１を通過することにより、減圧されて、冷房運転室内熱交換器２０１に流入する。冷媒は室内空気により加熱、蒸発されて、空気からは熱量を奪う。蒸発した冷媒は、ガス側配管５０Ｂ、冷房運転冷暖切替ユニット電磁弁１８１を通じて低圧側ガス配管４８Ａ、２５に流入し、また圧縮機に戻る。暖房を終えた液冷媒の他方は、第１室外熱交換器１０１に向かい、第１室外膨張弁１５１により減圧されて第１室外熱交換器１０１で蒸発する。蒸発した冷媒はまた圧縮機に戻り、以下上記動作を繰返す。
【００３４】
上記の冷暖同暖房主体運転は、暖房を終えた液冷媒が一方は冷房運転室内機１９１に、他方は第１室外熱交換器１０１に流れる。冷房運転室内機が末端接続室内機であった場合には、相対的に第１室外熱交換器１０１に多く流れるため、冷房能力の低下が顕著である。そこで、暖房運転室内機１９Ｎに流入する冷媒量を多くし、冷房運転室内機１９１に流れる冷媒量を多くする。具体的には、熱バランス的に第１室外熱交換器１０１と冷房運転室内熱交換器２０１が蒸発器、暖房運転室内熱交換器１９Ｎが凝縮器となるので、第１室外熱交換器１０１の容量と冷房運転室内熱交換器２０１の容量の比を用いて暖房運転室内機１９Ｎの最低膨張弁開度を高めに制限し、冷房運転室内機１９１へ流入する冷媒量を確保する。冷房運転室内熱交換器２０１の容量比が大きい場合、冷房能力を出力するためには多くの冷媒が必要となる。最低膨張弁開度を第１室外熱交換器と冷房運転室内熱交換器の容量比によって段階的、あるいは連続的に変化させる。第１室外熱交換器と冷房運転室内機との容量比をＲとした場合、例えば暖房運転室内機の室内膨張弁の最低開度ＥＶＩｍｉｎを
ＥＶＩｍｉｎ＝１０００＋１０００Ｒ
とすることで、特に末端接続室内機への液冷媒供給量を確保し、冷房能力の低下低減を図る。
【００３５】
冷暖同時冷房主体運転時、室外ファン１１と室外膨張弁１５２によるフィードバック制御を行ったので、暖房運転室内機の後流の冷媒液圧力と液配管の冷媒液圧力の圧力差を減少させ、不足しがちな最も遠い冷房運転室内機の冷房能力の確保ができ、全体としてバランスのとれた空調システムとすることができる。
【００３６】
また、冷暖同時冷房主体運転時、冷房能力の出力状態に応じて暖房能力の目標値を変化させることにより、同じく暖房運転室内機の後流の冷媒液圧力と液配管の冷媒液圧力の圧力差を減少させ、不足しがちな最も遠い冷房運転室内機の冷房能力を補正する。冷暖同時暖房主体運転時、蒸発器である第１室外熱交換器と冷房運転室内熱交換器の容量比により、暖房運転室内機の室内機膨張弁の最低開度を決定することにより、冷房運転室内機に流れる冷媒、冷媒能力の確保ができる。
【００３７】
【発明の効果】
本発明によれば、冷暖同時運転を行う空気調和機において、能力不足、能力むらを解消して、特に、配管接続などの施工状態によっても能力が不足せず、安定性が高く、設計自由度の大きい、快適性な空気調和機を得ることができる。
【図面の簡単な説明】
【図１】一実施の形態による圧力を制御を示すフローチャート。
【図２】一実施の形態による空気調和機の構成を示すブロック図。
【図３】一実施の形態における冷暖同時運転で、最も遠い冷房運転室内機の手前に暖房運転室内機がある場合を示すブロック図。
【図４】一実施の形態における冷房運転室内機において、室内温度と吹出し温度の差Δｔ（Ｃ）と冷房能力目標値Δｔｓ（Ｃ）との関係を示すグラフ。
【図５】一実施の形態における冷暖同時冷房主体運転において、冷房運転室内機の能力不足分ｅ（Ｃ）  と暖房運転室内機の暖房能力目標値Δｔｓ（Ｈ）の上限値Δｔｕ（Ｈ）との関係を示すグラフ。
【図６】図５の結果よりさらに上限値Δｔｕ（Ｈ）から暖房運転室内機の新たな能力目標値Δｔｓ（Ｈ）との関係を示すグラフ。
【図７】一実施の形態における冷暖同時冷房主体運転において、冷房能力の補正を行う制御を示すフローチャート。
【符号の説明】
８…室外機、９１…圧縮機、９２…圧縮機、１０１…第１室外熱交換器、１０２…第２室外熱交換器、１１…室外ファン、１５１…第１室外膨張弁、１５２…第２室外膨張弁、１６１、１６Ｎ…冷暖切替ユニット、１９１、１９Ｎ…室内機、２０１、２０Ｎ…室内熱交換器、２１１、２１Ｎ…室内ファン、２２１、２２Ｎ    …室内膨張弁、２３…液管、２４…高圧側ガス配管Ａ、２５…低圧側ガス配管Ａ、２６、２７、２８…分岐管、３２…吸入圧力検知器、３３…吐出圧力検知器。
【図１】
0003627101.tif 000002
【図２】
0003627101.tif 000003
【図３】
0003627101.tif 000004
【図４】
0003627101.tif 000005
【図５】
0003627101.tif 000006
【図６】
0003627101.tif 000007
【図７】
0003627101.tif 000008